(57)【特許請求の範囲】
【請求項１】
複写機等の機器本体（Ｍ）に取り付け固定されると共に、底面板（１ａ）と、該底面板（１ａ）の両側からほぼ垂直に立ち上がっている側面板（１ｂ）により構成される取付部材（１）と、該取付部材（１）の側面板（１ｂ）にヒンジ軸（２）を介して回動自在に取り付けられると共に直接的あるいは間接的に原稿圧着板を取り付ける支持部材（３）と、から成る原稿圧着板用開閉装置において、上記取付部材（１）の上記底面板（１ａ）の上面側にスライド固定部材（６）を配設し、該スライド固定部材（６）の底板（６ａ）に絞り加工底部（６ａ′）を形成して、該絞り加工底部（６ａ′）を上記底面板（１ａ）に形成した大開口部（１ａ′）内に入り込ませ、また、上記絞り加工底部（６ａ′）に大径穴（６ａ″−１）と長穴（６ａ″−２）から成るダルマ穴（６ａ″）を形成すると共に、該長穴（６ａ″−２）の両側の上記絞り加工底部（６ａ′）に傾斜面（Ｔ）を形成し、上記スライド固定部材（６）を摺動させることにより、機器本体（Ｍ）に取付固定した段付きビス（８）の鍔（８ａ）を、上記傾斜面（Ｔ）に強固に係合せしめるように構成することを特徴とする原稿圧着板用開閉装置の取り付け固定構造。
【請求項２】
上記スライド固定部材（６）に、上記底板（６ａ）から直角に立ち上がった立上板（６ｂ）を形成して、該立上板（６ｂ）に二重鍔付きネジ（７）を回転自在に取り付けると共に、上記取付部材（１）の上記底面板（１ａ）及び上記側面板（１ｂ）と直交する背面板（１ｃ）に螺設し、該二重鍔付きネジ（７）を回転操作することにより、上記スライド固定部材（６）を摺動させることを特徴とする請求項１に記載の原稿圧着板用開閉装置の取り付け固定構造。
【発明の詳細な説明】
【技術分野】
【０００１】
本発明は、原稿圧着板用開閉装置の取り付け固定構造に関する。
【背景技術】
【０００２】
従来、この種の原稿圧着板用開閉装置の取り付け固定構造としては、複写機等の機器本体に取り付け固定される取付部材と、該取付部材にヒンジ軸を介して回動自在に取り付けられると共に直接的あるいは間接的に原稿圧着板を取り付ける支持部材と、から成る原稿圧着板用開閉装置において、上記取付部材を段ビスにより機器本体に取り付ける、取り付け固定構造があった。
【０００３】
しかしながら、上記従来の原稿圧着板用開閉装置の取り付け固定構造は、上記段ビスの段により、機器本体との間に隙間が生じやすく、いわゆるガタが生まれ、特に開閉装置を閉じる際に、原稿圧着板の圧着性へ悪影響を及ぼす等の問題点があった。
【発明の概要】
【発明が解決しようとする課題】
【０００４】
本発明は、上記従来の問題点を解決して、原稿圧着板用開閉装置の取り付けの際に、部品を追加することなく、従来使用していた段ビスを流用して使用することができる原稿圧着板用開閉装置の取り付け固定構造を提供することを課題とする。
【課題を解決するための手段】
【０００５】
本発明の原稿圧着板用開閉装置の取り付け固定構造は、複写機等の機器本体に取り付け固定されると共に、底面板と、該底面板の両側からほぼ垂直に立ち上がっている側面板により構成される取付部材と、該取付部材の側面板にヒンジ軸を介して回動自在に取り付けられると共に直接的あるいは間接的に原稿圧着板を取り付ける支持部材と、から成る原稿圧着板用開閉装置において、上記取付部材の上記底面板の上面側にスライド固定部材を配設し、該スライド固定部材の底板に絞り加工底部を形成して、該絞り加工底部を上記底面板に形成した大開口部内に入り込ませ、また、上記絞り加工底部に大径穴と長穴から成るダルマ穴を形成すると共に、該長穴の両側の上記絞り加工底部に傾斜面を形成し、上記スライド固定部材を摺動させることにより、機器本体に取付固定した段付きビスの鍔を、上記傾斜面に係合せしめるように構成することを特徴とする。
【発明の効果】
【０００６】
本発明の原稿圧着板用開閉装置の取り付け固定構造は、部品を追加することなく、従来使用していた段ビスを流用して使用することができるという、効果を有する。
【図面の簡単な説明】
【０００７】
【図１】本発明に係る原稿圧着板用開閉装置の取り付け固定構造の側面図である。
【図２】図１の縦断面図である。
【図３】図１の取付部材に固定部材を設けた斜視図である。
【図４】図３の取付部材と固定部材とのスライド作動の説明図（Ａ）および（Ｂ）である。
【図５】図４の説明図（Ｂ）の段ビスによる固定状態の斜視図である。
【発明を実施するための形態】
【０００８】
以下、本発明の原稿圧着板用開閉装置の取り付け固定構造の実施例について、図面を参照しながら説明する。
【０００９】
図１および図２において、１は取付部材、２はヒンジ軸、３は支持部材、４はリフト軸、５はリフト部材、６はスライド固定部材である。
【００１０】
上記取付部材１は、複写機本体等の機器本体Ｍ（図４参照）に、後述する方法・手段により取り付け固定される。該取付部材１には、上記支持部材３がヒンジ軸２を介して回動自在に枢着されている。該支持部材３には、上記リフト部材５がリフト軸４を介して上記支持部材３の回動方向とは逆方向に回動自在に枢着されている。該リフト部材５には、原稿圧着板（図示せず）が装着される。この原稿圧着板には、ＡＤＦ（原稿自動送り装置）を必要に応じて設けることができる。また、上記リフト部材５を省略して、上記支持部材３に原稿圧着板を直接取り付けてもよい。
【００１１】
図３からも明らかなように、上記取付部材１は、底面板１ａと、該底面板１ａの両側からほぼ垂直に立ち上がっている側面板１ｂと、これらの面板１ａ、１ｂと直交する背面板１ｃにより構成されている。上記底面板１ａには、大開口部１ａ′が形成されている。
【００１２】
上記取付部材１の底面板１ａの上面側には、上記スライド固定部材６が配設されている。該スライド固定部材６は、底板６ａと、該底板６ａから直角に立ち上がった立上板６ｂから成る。該底板６ａには、絞り加工底部６ａ′が形成され、上記底面板１ａの大開口部１ａ′内に入り込んでいる。
【００１３】
上記絞り加工底部６ａ′には、ダルマ穴６ａ″が形成されている。該ダルマ穴６ａ″は、大径穴６ａ″−１と長穴６ａ″−２から成る。該長穴６ａ″−２は、該大径穴６ａ″−１から上記立上板６ｂの方向に連続して形成されている。上記長穴６ａ″−２の両側の絞り加工底部６ａ′は、上記立上板６ｂの方向に上昇する傾斜面Ｔとなっている。
【００１４】
図４から明らかなように、上記立上板６ｂには、二重鍔付きネジ７が取り付けられていて、上記取付部材１の背面板１ｃに螺設されている。図４（Ａ）に示すように、該二重鍔付きネジ７を回転操作することにより、上記スライド固定部材６を摺動させることができるようになっている。
【００１５】
本実施例の原稿圧着板用開閉装置の取り付け固定構造は、以上のように構成されているので、その取り付け固定作業に際しては、予め機器本体Ｍに締め付け固定されている段付きビス８の上から原稿圧着板用開閉装置を下ろす。この際、該原稿圧着板用開閉装置の上記ダルマ穴６ａ″の大径穴６ａ″−１に、段付きビス８の鍔８ａを通すようにして下ろし、原稿圧着板用開閉装置を図４（Ａ）で右方向にスライドさせて、該段付きビス８をダルマ穴６ａ″の長穴６ａ″−２に入れる。
【００１６】
続いて、上記図４（Ａ）に示すように、二重鍔付きネジ７を回転操作して、上記スライド固定部材６を摺動させると、段付きビス８の鍔８ａが、上記絞り加工底部６ａ′の傾斜面Ｔに強固に係合し、固定作業を終了する。
【００１７】
上記実施例では、複写機の原稿圧着板を開閉する開閉装置について説明したが、本発明の開閉装置はこれに限定するものではなく、ＦＡＸ，スキャナーなど、原稿を画像処理するＯＡ機器であればいずれでもよい。
【符号の説明】
【００１８】
１    取付部材
１ａ  底面板
１ａ′大開口部
１ｂ  側面板
１ｃ  背面板
２    ヒンジ軸
３    支持部材
４    リフト軸
５    リフト部材
６    スライド固定部材
６ａ  底板
６ａ′絞り加工底部
６ａ″ダルマ穴
６ａ″−１  大径穴
６ａ″−２  長穴
６ｂ  立上板
７    二重鍔付きネジ
８    段付きビス
８ａ  鍔
Ｍ    機器本体
Ｔ    傾斜面
【図１】
0005541592.tif 000002
【図２】
0005541592.tif 000003
【図３】
0005541592.tif 000004
【図４】
0005541592.tif 000005
【図５】
0005541592.tif 000006